(57)【要約】【課題】吹き抜け空間を有するとともに、吹き抜け空間を利用して使い勝手のいい収納を有する建物を提供する。【解決手段】建物には、１階と２階との間の床の一部に設けられた開口で１階の空間と２階の空間とが連通する吹き抜け空間３０が設けられている。吹き抜け空間３０に隣接して、下階の天井面１８ａと上階の床面２２ａとの間に被収納物を収納する吹抜収納部５０が設けられている。吹抜収納部５０における被収納物の出し入れのための開口部５３が吹き抜け空間３０に面して形成されている。開口部５３から吹き抜け空間３０側に延出部材５５が形成され、被収納物の出し入れの際に被収納物を延出部材５５に置けるようになっている。【選択図】図１
2010216136.tif 000002
【特許請求の範囲】
【請求項１】
上階と下階との間の床の一部に設けられた開口で下階の空間と上階の空間とが連通する吹き抜け空間を有する建物であって、
前記吹き抜け空間に隣接して、下階の天井面と上階の床面との間に被収納物を収納する収納部が設けられ、
当該収納部における被収納物の出し入れのための開口が前記吹き抜け空間に面して形成されていることを特徴とする建物。
【請求項２】
前記収納部には、前記収納部の床面と略同じ高さもしくは当該高さより低い位置で前記開口部分から水平に当該収納部の外側に延出する板状の延出部材が設けられていることを特徴とする請求項１に記載の建物。
【請求項３】
前記延出部材は、２つの構造体間に梁状に架け渡され、２つの当該構造体に両端部を支持されていることを特徴とする請求項２に記載の建物。
【請求項４】
前記延出部材は、前記収納部の開口側に支持される基端部を回転中心として、水平な状態から先端を上に向けるとともに前記開口を略閉塞する略垂直な状態まで回転自在に形成されていることを特徴とする請求項２に記載の建物。
【請求項５】
前記延出部材が水平な状態となった際に、当該延出部材の先端側を支持することにより、延出部材を両持ち状態に支持する支持部材が設けられていることを特徴とする請求項４に記載の建物。
【発明の詳細な説明】
【技術分野】
【０００１】
本発明は吹き抜け構造を備える建物に関する。
【背景技術】
【０００２】
従来、住宅等の建物においては、各種収納スペースが設けられていた。たとえば、最も一般的なものとしては、押入れがある。押入れは、床から天井の間となる居室部分に隣接して床から天井までの空間を区切って設けたものである。また、押入れの上部、すなわち、天井近くの高さ位置は天袋とされている。
また、近年、床下や天井裏（屋根裏）の空間を有効利用した床下収納や屋根裏収納がよく用いられる。
【０００３】
押入れは、隣接する居住空間から横方向に被収納物の出し入れができるので、使い勝手がいいが、押入れとして収納スペースを床と天井との間に設けることで、居住スペースの減少を招くことになる。また、押入れの天井付近となる上部の天袋に関しては、高い位置にあるので、必ずしも居住スペースを狭めるものではないが、天井が近いので、被収納物の出し入れの際に、天井に頭が当るような体制となり、使い勝手が悪いという問題がある。
床下収納や、屋根裏収納は、床下や天井裏となる空間に収納スペースが形成されることから、居住スペースを減少させることがないが、床面や天井面に設けられた開口の開閉部材をあけて、当該開口を介して上下方向に被収納物の出し入れをすることになり、使い勝手が良くないという問題を有する。
【０００４】
そこで、スキップフロアや中二階を有することにより、高い床と低い床もしくは高い天井と低い天井との段差面となる壁面に開口を有し、かつ、当該壁面側の床下、天井裏となる空間を収納スペースとすることが提案されている（たとえば、特許文献１，２参照）。この場合、床下やや天井裏の空間であっても壁側から横方向に被収納物の出し入れが可能であり、使いがってがいいものとなる。
【０００５】
また、従来から建築物には、たとえば、一階（下階）と二階（上階）との間に配置される一階の天井から二階の床に至る部分の一部を設けないものとして、一階から二階に連通した空間となる吹き抜け空間を設ける場合がある。吹き抜け空間では、上下に長く、天井が極めて高い居住スペースができることになり、屋内でありながら開放感のあるスペースを形成することができる。また、二階の窓や天窓の明かりを一階側に通すことが可能なので、昼間は陽光に溢れた明るいスペースを設けることができる。
【０００６】
このような吹き抜け空間を有する建物においては、吹き抜け空間に面する壁の壁面部分に壁収納を設けたり、上述の中間階等からなる収納室を吹き抜け空間に面して設けることなどが行われている。
たとえば、下階から上階に至る階段部分に隣接して吹き抜け空間を設け、当該吹き抜け空間の上階床面より上の一部に収納室を設けるための床を設け、当該床まで階段を上方に延ばして、収納室にアクセス可能とした建物が提案されている（たとえば、特許文献３参照）。
【０００７】
また、階段に隣接する吹き抜け空間に面する壁の壁面に壁収納となる収納棚や収納部を配置した建物が提案されている（たとえば、特許文献４、５参照）。
また、吹き抜け空間に隣接して、中間階となるような床面を構成し、当該床面上を収納室とした建物が提案されている（たとえば、特許文献６参照）。
【０００８】
また、吹き抜け空間の上部に、当該吹き抜け空間に連通する軒桁上収納庫を設けた建物が提案されている（たとえば、特許文献７参照）。
【先行技術文献】
【特許文献】
【０００９】
【特許文献１】特開平１１−７１９１７号公報
【特許文献２】特許第３７７６４１４号公報
【特許文献３】特開２０００−３１４１７６号公報
【特許文献４】特開２００３−１３８７６７号公報
【特許文献５】特開２００５−３２５５２５号公報
【特許文献６】特開２００６−７７４５７号公報
【特許文献７】特開２００８−５７２５２号公報
【発明の概要】
【発明が解決しようとする課題】
【００１０】
ところで、中二階やスキップフロアといった段差を有する床面や天井面を有する建物では、一階の床下、二階の天井裏である屋根裏、一階天井と二階床面との間の収納スペースに壁面側で開口する開口を設けることができる。この場合に、吹き抜け空間に面する開口を有する収納部を形成することができる。
しかし、床や天井に大きな段差がない建物には適用することができない。吹き抜け空間がある場合も、吹き抜け空間に加えて段差のある床や天井を設けることで、建物のコストが高くなる。また、吹き抜け空間の上下に長い壁を利用した壁収納においては、外壁側に形成される窓や、内壁側の隣接する居室や廊下との間のドアや引き戸等を考慮すると、設置場所が限られてしまう。
【００１１】
本発明は、前記事情に鑑みてなされたものであり、吹き抜け構造を有しながら使い勝手のよい収納スペースを低コストに構築できる建物を提供しようとするものである。
【課題を解決するための手段】
【００１２】
本発明の請求項１に記載の発明は、上階と下階との間の床の一部に設けられた開口で下階の空間と上階の空間とが連通する吹き抜け空間を有する建物であって、
前記吹き抜け空間に隣接して、下階の天井面と上階の床面との間に被収納物を収納する収納部が設けられ、
当該収納部における被収納物の出し入れのための開口が前記吹き抜け空間に面して形成されていることを特徴とする。
【００１３】
本発明の請求項１に記載の発明によれば、吹き抜け空間に隣接して、下階の天井面と上階の床面との間に被収納物を収納する収納部が設けられ、当該収納部における被収納物の出し入れのための開口が前記吹き抜け空間に面する壁に設けられているので、被収納物の出し入れにはしご等が必要となるが、被収納物の出し入れは、壁面に形成された開口から横方向に行うことが可能であり、被収納物の出し入れの使い勝手が良いものとなる。
また、収納部の高さ位置は、一階天井面の上となるが、吹き抜け空間に面するように収納部の開口が形成されているので、天井に頭がつかえる状態となることがなく、収納部内を見る際や、収納部内に手を入れる際に天井面に邪魔されて体勢が悪くなることがない。
【００１４】
また、吹き抜け空間を設けることによる上階床面積の減少による収納スペースの減少に対して、段差のある床面や天井面を設けることなく、低コストに収納スペースの増加を図ることができる。
また、収納部は、吹き抜け空間に面する下階の天井面から上階の床面間に設けられているので、吹き抜け空間に面する下階部分や上階部分の壁に、ドアや引き戸等の開口が設けられた状態となっていてもよく、さらにほぼ全面が開口で壁が無い状態となっていてもよく、吹き抜け空間に隣接して上階の床がある部分に必ず設けることができる。
【００１５】
請求項２に記載の発明は、請求項１に記載の建物において、前記収納部には、前記収納部の床面と略同じ高さもしくは当該高さより低い位置で前記開口部分から水平に当該収納部の外側に延出する板状の延出部材が設けられていることを特徴とする。
【００１６】
請求項２に記載の発明によれば、収納部への被収納物の出し入れに際して、被収納物を一旦延出部材上に載置して出し入れを行うことができるので、たとえば、被収納物の出し入れの際にはしごを使うような場合に、使い勝手を向上することができる。また、下階側から吹き抜け空間に面する収納部を見上げた場合に、延出部材により、収納部の開口もしくは開口に設けられた開閉部材を隠すことができ、見た目をすっきりしたものとすることができる。
【００１７】
請求項３に記載の発明は、請求項２に記載の建物において、前記延出部材は、２つの構造体間に梁状に架け渡され、２つの当該構造体に両端部を支持されていることを特徴とする。
【００１８】
請求項３に記載の発明によれば、前記延出部材を梁と同様の強度とすることが可能であり、当該延出部材にはしごを掛ける場合や、重い被収納物を載置するものとしても十分な強度を確保することができる。また、延出部材に十分な幅があれば、キャットウォークとして利用することもできる。
【００１９】
請求項４に記載の発明は、請求項２に記載の建物において、前記延出部材は、前記収納部の開口側の基端部を回転中心として、水平な状態から先端を上に向けるとともに前記開口を略閉塞する略垂直な状態まで回転自在に形成されていることを特徴とする。
【００２０】
請求項４に記載の発明によれば、延出部材を被収納物の出し入れ時に前記収納部の開口が設けられた壁から水平に延出した状態とし、通常時（延出部材の未使用時）には、延出部材を垂直に立てて、吹き抜け空間に延出させず、吹き抜け空間の面積を減少させない状態とすることができる。したがって、通常時に延出部材により、吹き抜け空間の面積が減少されることで開放感が減少してしまうのを防止することができる。また、延出部材を垂直に立てた場合には、収納部の開口を閉塞した状態とできるので、延出部材を収納部の開口の開閉部材として用いることができ、ほかに開閉部材を設ける必要がなく、構造の簡素化とコストダウンを図ることができる。
【００２１】
請求項５に記載の発明は、請求項４に記載の建物において、前記延出部材が水平な状態となった際に、当該延出部材の先端側を支持することにより、延出部材を両持ち状態に支持する支持部材が設けられていることを特徴とする。
【００２２】
請求項５に記載の発明によれば、延出部材の基端側が回転自在に開口が形成される構造体側に支持されるとともに、先端側が支持部材に支持されるので、水平に延出した状態の延出部材を強固に支持することができる。これにより、延出部材にはしごを掛けたり、重い被収納物を載置したり、キャットウォークとして利用したりする際に、十分な強度を確保することができる。
前記支持部材としては、たとえば、ワイヤや、収納部の開口が形成された部分を挟むように配置された２つの壁等の構造体間に架け渡される梁等を用いることができる。
【発明の効果】
【００２３】
本発明の建物によれば、吹き抜け空間に面する開口を有する収納部により、床面や天井面に段差を設けることなく、下階天井裏および上階床下となる収納スペースに対して、吹き抜け空間から横方向に被収納物の出し入れが可能となる。また、被収納物の出し入れの際に天井が邪魔にならず、吹き抜け空間を有する建物に、使い勝手のよい収納スペースを提供することができる。
【図面の簡単な説明】
【００２４】
【図１】本発明の第１実施形態の建物を示す切妻屋根の棟方向に直交する断面図である。
【図２】前記建物を示す切妻屋根の棟方向に沿った断面図である。
【図３】前記建物の一階の間取りを示す断面図である。
【図４】前記建物の二階の間取りを示す断面図である。
【図５】前記建物の吹抜収納を説明するための図である。
【図６】前記建物の変形例となる吹抜収納を説明するための図面である。
【発明を実施するための形態】
【００２５】
以下、本発明の実施の形態を図面を参照して説明する。
図１は本発明の第１実施形態の建物を示す切妻屋根の棟方向に直交する断面図、図２は前記建物を示す切妻屋根の棟方向に沿った断面図、図３は前記建物の一階の間取りを示す断面図、図４は前記建物の二階の間取りを示す断面図、図５は前記建物の吹抜収納を説明するための図である。
【００２６】
図１から図４に示すように、建物は２階建てで切妻造の屋根（切妻屋根１）を有するものであるとともに、２階の居室スペースは、少なくとも上部空間が切妻屋根１の屋根面と外壁との接合部分より上の屋根裏空間内となっている。そして、２階の天井が切妻屋根の屋根の傾斜に沿った天井面となっており、天窓２等の一部を除いて、屋根面と天井面とが略平行となっている。
【００２７】
そして、建物においては、一方の妻側の外壁の中央に玄関３が設けられ、玄関３の屋内側に玄関土間３ａと、玄関ホール４が設けられている。
また、玄関３から見て玄関土間３ａおよび玄関ホール４の左側に水回りとして、便所５、浴室６、浴室６につながる洗面所７が設けられている。また、これら水回りに隣接して水回りの奥には、途中に踊り場を有する折れ曲がり階段８が設けられ、折れ曲がり階段８の高い側の下に階段下収納９が設けられている。
また、玄関ホール４の正面側には、玄関ホール４に隣接して玄関３の左右幅と同様の左右幅を有する物入１１（収納室）が玄関３と中心線を一致させた状態に設けられている。
【００２８】
また、前記玄関ホール４につながるとともに、水回りの便所５、洗面所７とその奥の折れ曲がり階段８および階段下収納９を経て後述の食堂１８（リビングダイニングキッチン）に至る廊下１２が設けられ、この廊下１２に面して前記物入１１の出入扉が設けられている。
また、玄関３から見て玄関土間３ａおよび玄関ホール４の右側には土間１４が設けられ、当該土間１４は、玄関土間３ａおよび玄関３から見て建物右側に設けられたテラス１３から出入り可能となっている。また、土間１４の奥に玄関ホール４に繋がる廊下１５から出入りする洋間１６が設けられている。
【００２９】
また、上述の各部所は、建物の玄関３から棟方向（桁方向）の半分に設けられ、反対側の半分にはリビングダイニングキッチンが設けられている。また、リビングダイニングキッチンは、玄関３から見て右側が居間（リビング）１７で、左側がダイニングキッチンとなっており、ダイニングキッチンは、玄関３に近い側が食堂１８で、遠い側が台所（カウンターキッチン）１９となっている。
また、建物の２階においては、上述の折れ曲がり階段８の２階部分に階段ホール２０が設けられ、当該階段ホール２０の左右にそれぞれ洋間２１，２２が設けられている。
【００３０】
一方の洋間２２は、上述の１階の食堂１８および台所１９の上に設けられている。また、洋間２２に隣接して１階の居間１７の上となる部分には、床がない構造、すなわち、床に開口が設けられた構造となっており、この床の開口部分が吹き抜け空間３０となっている。なお、吹き抜け空間３０の二階側の空間は、上述の屋根裏空間となっており、天井が屋根面に略平行な斜面とされるとともに、天井扇３７が天井から吊り下げられている。
【００３１】
また、他方の洋間２１に隣接して、１階の土間１４および洋間１６の上となる部分にスカイパティオ２３が設けられている。スカイパティオ２３とは、空中の中庭（空中庭園）を模したものである。この例では、矩形状のスカイパティオ２３部分の周囲二辺を囲むように２階床の無い吹き抜け空間２３ａ，２３ｂが設けられており、吹き抜け空間２３ａ，２３ｂに張り出した状態でスカイパティオ２３が設けられることで、空中庭園状の構造となっている。なお、１階土間１４およびスカイパティオ２３部分は、外壁側の壁や屋根などに窓となる大きな開口が設けられ、陽光が十分に取り入れられる空間となっており、屋外のテラス１３と合わせて、たとえば、ガーデニングの対象となるガーデンルーム等として使用可能である。
【００３２】
また、前記吹き抜け空間３０と、スカイパティオ２３との間となり、階段ホール２０に面する部分には、ウォークインクローゼット２４が設けられている。なお、ウォークインクローゼット２４となる部分は、高さ位置的には、屋根裏空間を含み、屋根裏収納となるが、２階全体が屋根裏空間を含んで、ウォークインクローゼット２４と同じ高さ位置にあるので、屋根裏空間であっても水平方向から荷物の出入が可能であり、通常のウォークインクローゼット２４として使用可能である。なお、ウォークインクローゼット２４の外壁３１側には、床の無い吹き抜け空間２４ｂが設けられているとともに、ウォークインクローゼット２４と吹き抜け空間２４ｂとの間には、壁がなくフェンス２４ｃが設けられ、ウォークインクローゼット２４には、昼間は明かりが入り込むようになっており、
照明を点灯しない状態でもある程度の明るさを保持できる。
【００３３】
この例において、前記１階の居間１７部分の吹き抜け空間３０は、図４に示すように、断面矩形状で、一つの角を挟む２辺部分が平面視して矩形状の建物の角部に対応しており、前記吹き抜け空間３０の一つの角部を挟む２辺は、建物の出隅の角部を挟む２つの外壁３１，３２に対応している。
また、吹き抜け空間３０の外壁３１に対向する辺側には、隣接して２階の洋間２２が配置されている。吹き抜け空間３０の外壁３２に対向する辺側には、隣接して２階のウォークインクローゼット２４が配置されている。
また、１階部分において、吹き抜け空間と隣接する洋間２２の下側は、食堂１８、台所１９および居間１７からなるリビングダイニングキッチンであり、一つの部屋となっている。
【００３４】
したがって、１階において、居間１７の居室空間となる吹き抜け空間３０と食堂１８および台所１９との間に内壁がない全面開口となるが、たとえば、梁状の構造体が配置されている。
また、２階の吹き抜け空間３０に隣接する洋間２２と吹き抜け空間３０との間には、フェンス３８が設けられ、吹き抜け空間３０と洋間２２との間を完全に閉塞する内壁は設けられておらず、吹き抜け空間３０の外壁３１に対向する側は、基本的に壁のないオープンな構造となっている。
また、吹き抜け空間３０の外壁３２に対向する辺となる側には、１階に洋間１６、２階にウォークインクローゼット２４が隣接している。１階の洋間１６および２階のウォークインクローゼット２４との間には、壁が設けられており、吹き抜け空間３０が壁で区切られた状態となっている。
【００３５】
そして、吹き抜け空間３０の２階床部分の高さ位置には、上述の２つの外壁に面する辺を除く、残りの２辺側に本発明に係る吹抜収納部５０、５１が形成されている。上述の１階が食堂１８、台所１９に隣接し、２階が洋間２２に隣接する吹き抜け空間３０の辺側においては、１階の食堂１８および台所１９の天井面１８ａと、２階の洋間２２の床面２２ａとの間に吹抜収納部５０が形成されている。また、１階が洋間１６に隣接し、２階がウォークインクローゼット２４に隣接する吹き抜け空間３０の辺側には、１階の洋間１６の天井面１６ａと、２階のウォークインクローゼット２４の床面２４ａとの間に吹抜収納部５１が設けられている。
【００３６】
当該吹抜収納部５０，５１の被収納物を出し入れする開口部５３は、吹き抜け空間３０に面して形成されるとともに、開口部５３は鉛直方向に沿った面に形成されており、被収納物を水平方向に出し入れ可能となっている。
また、開口部５３が形成される面は、吹抜収納部５０において、外壁３１に平行な面となっており、吹抜収納部５１において、外壁３２に平行な面となっている。
【００３７】
吹抜収納部５０、５１は、基本的にその上の床面２２ａ，２４ａを支持する構造体に支持されている。なお、２階の床面２２ａ，２４ａを支持する構造体は、たとえば、梁、根太等であるが、この例では、パネル工法が用いられており、床パネルが構造体となっている。
すなわち、吹抜収納部５０，５１には、被収納物を載せる収納床５４が設けられており、当該収納床５４が床面２２ａ，２４ａを支持する構造体に支持されている。また、収納床５４の両端部は、それぞれ構造体に支持されている。
【００３８】
すなわち、上述の開口部５３が形成される面に沿って所定間隔毎に前記面に直交する面方向に沿った複数の板状の縦部材が上述の床面２２ａ，２４ａを支持する構造体に接合された状態となっている。そして、これら複数の縦部材の下端部側に収納床５４が接合されて支持されている。また、吹抜収納部５０の収納床５４は、一方の端部を構造体としてのパネル工法の外壁３２に支持されるとともに、他方の端部を吹抜収納部５１が設けられる側の２階床の構造体に支持されている。
【００３９】
吹抜収納部５１の収納床５４は、一方の端部を構造体としての外壁３１に支持されるとともに、他方の端部を吹抜収納部５０が設けられる側の２階床の構造体に支持されている。
ここでは、吹抜収納部５０の収納床５４の他方の端部と、吹抜収納部５１の収納床５４の他方の端部とが互いに接合されることで、２階床の構造体に支持される構造となっている。
各吹抜収納部５０，５１は、吹き抜け空間３０の各辺のほぼ全体に渡って形成されているとともに、前記縦部材により仕切られた状態となっており、仕切られた空間が前記辺の方向に複数並んだ状態となっている。また、各吹抜収納部５０，５１の開口部５３には、前記縦部材に仕切られた空間毎に開口部５３を開閉する開閉部材が設けられている。
【００４０】
また、収納床５４は、２階の洋間２２と吹き抜け空間３０の境界および２階のウォークインクローゼット２４と吹き抜け空間３０との境界まで形成される二階の床面２２ａ，２４ａよりも吹き抜け空間３０側に延出した状態となっている。吹抜収納部５０，５１の開口部５３は、前記境界部分に形成されており、収納床５４は、開口部５３より吹き抜け空間３０側に延出した状態となっている。
【００４１】
この床面２２ａ，２４ａの吹き抜け空間３０との境界となる周縁よりも吹き抜け空間側となる収納床５４の延出部分が、吹抜収納部５０，５１に出し入れされる被収納物を、開口部５３から吹抜収納部５０，５１に入れる際、もしくは開口部５３から外に出す際に、一時的に被収納物を載置する延出部材５５となっている。
図５に示すように、部材の先端部は、開口部５３が形成される面と平行に形成されている。
【００４２】
また、延出部材５５の先端部には、上側に向かって立ち上がった状態の壁部５６が形成されており、吹抜収納部５０，５１に出し入れされる被収納物の落下を防止するとともに、後述のはしご６０の先端部に設けられた掛止部（フック）６１に掛止される被掛止部となっている。
なお、延出部材５５は、上述のように構造体に支持された収納床５４の一部であり、両端部が構造体に支持されるとともに、構造体に支持された前記縦部材に支持された状態である。
したがって、重量の大きな被収納物を載せることができるとともに、はしご６０の上端部側を支持することが可能となっている。
【００４３】
また、収納床５４と延出部材５５とが一体の板状となっていることから、収納床５４と延出部材５５との上面および下面が一つの平面で面一の状態となっている。すなわち、収納床５４と延出部材５５が同じ高さ位置となっている。また、収納床５４および延出部材５５の下面には、吹き抜け空間３０に隣接する空間の天井面１６ａ，１８ａとしての天井材が貼り付けられた状態となっており、吹き抜け空間３０に隣接する１階の部屋（台所１９、食堂１８、洋間１６）の天井の一部を構成するようになっている。
【００４４】
そして、被収納物の出し入れには、図５に示すように専用のはしご６０を使用するようになっている。はしご６０の上端部には、上述の壁部５６に掛止される掛止部６１が左右上端部に設けられている。そして、被収納物を吹抜収納部５０，５１に収納する場合には、被収納物を延出部材５５上に載せた後に吹抜収納部５０，５１内に押し込むようにして収納する。なお、はしご６０は、たとえば、１階物入１１に収納可能となっている。
【００４５】
また、被収納物を吹抜収納部５０，５１から取り出す場合には、はしご６０から手を伸ばして被収納物を取り出すことになる。この際に、吹き抜け空間３０側から被収納物を引き出すので、頭が天井につかえるようなことがなく、無理な体勢となることがない。なお、荷物を引き出すための棒状の部材や、収納床５４上を被収納物が載置された状態で摺動する板状の部材等を用いるものとしてもよい。
また、吹抜収納部５０は、壁が無い面に設けられており、壁面がない状態で、吹き抜け空間３０側に向いた２階床の端面に開口する収納が設けられた状態となっている。内壁面がなくても、収納スペースの開口を設けられることになり、限られた内壁面に対して、収納スペースの増加を図ることができる。
【００４６】
また、延出部材５５は、上述のように構造体に支持されているので、大きな荷重に耐えることができ、延出部材５５の幅を広ろくとることで、キャットウォークとして利用可能とすることもできる。この場合に壁部５６にフェンスを設けることが好ましい。
延出部材５５をキャットウォークとした場合には、２階の床面２２ａ，２４ａ側から被収納物の出し入れを行うことも可能となる。
【００４７】
図６は、本発明の第２実施形態の建物の吹抜収納部７０を示すものであり、延出部材７１が収納床７２と別体とされるとともに、水平な状態から上側に向かって鉛直な状態に回転自在にされている構造が、第１の実施の形態と異なるものとなっている。
吹抜収納部７０は、第１実施形態の吹抜収納部５０，５１と延出部材７１の構造が異なる以外は、同様の構造となっている。
【００４８】
収納床７２の先端部には、延出部材７１の基端部を上述のように水平な状態からほぼ鉛直な状態に支持する支持部７４が設けられている。当該支持部７４の位置は、収納床７２より一段低くなっており、基端部を回転自在に支持部７４に支持された延出部材７１が水平とされた際に、延出部材７１の上面と、収納床７２の上面とがほぼ同じ高さ位置となる構成となっている。
【００４９】
また、上述の吹抜収納部７０（吹抜収納部５０，５１）が形成される前記辺に沿って間隔をあけて複数のワイヤ７５が辺方向に沿って並んで配置されている。そして、各ワイヤ７５の一方の端部が延出部材７１の先端部に接続されるとともに、他方の端部が吹抜収納部７０が支持される構造体側に接続さている。延出部材７１を垂直にした状態では、ワイヤ７５が撓んだ状態で、延出部材７１が水平な状態では、ワイヤ７５が伸びて張った状態となり、ワイヤ７５によって、延出部材７１の先端部が支持された状態となる。
【００５０】
したがって、ワイヤ７５は、延出部材７１の先端部を支持する支持部材であり、延出部材７１は、基端部が支持部７４により回転自在に支持され、先端部がワイヤ７５により支持されることで、両持ち状態で強固に支持され、はしご６０の上端部の掛止部６１が掛けられても十分な強度で対応可能となっている。
また、延出部材７１を鉛直方向に沿って先端部が上を向くように配置した場合に、吹抜収納部７０の開口部７６を閉塞するようになっている。通常時は、吹抜収納部７０の開口部７６が延出部材７１により閉められた状態となるので、この例では、延出部材７１が開閉部材として機能し、他に開閉部材が設けられていない状態となっており、コストの低減を図っている。
【００５１】
また、延出部材７１の先端部には、延出部材７１の回転操作（開閉操作）用の紐７７が接続されており、当該紐７７は、たとえば、上述のフェンス３８の水平に配置される上下の格子部材７８，７８に設けられた貫通孔７９，７９に挿入されて通された状態となっており、フェンス３８から紐７７を引っ張ることで、延出部材７１を水平な状態から垂直な状態とすることができる。
【００５２】
なお、延出部材７１を水平な状態とした場合には、延出部材７１の自重により水平な状態に維持されるが、鉛直な状態とした場合には、延出部材７１を弾性部材を嵌合させるような係合機構で保持できるようにすることが好ましい。なお、係合機構は、たとえば、延出部材７１の先端部に形成される壁部８０と、フェンス３８の下部との間に設けることができる。また、前記紐７７を掛止することで延出部材７１を鉛直な状態に保持するものとしてもよい。
なお、回転自在な延出部材７１の先端部を支持する支持部材として、前記ワイヤに代えて、延出部材７１の先端部の直下に梁状の支持部材を配置し、延出部材７１を水平な状態とした場合に梁状の支持部材上に延出部材７１の先端部が載った状態に支持されるものとしてもよい。
【００５３】
以上のような第２実施形態によれば、第１実施形態と同様の作用効果を得ることができるとともに、延出部材７１を開閉自在としたので、吹抜収納部７０で被収納物の出し入れを行っていない通常時に、吹き抜け空間３０が狭められるのを防止することができる。
【符号の説明】
【００５４】
２２ａ  床面
２４ａ  床面
３０    吹き抜け空間
５０    吹抜収納部（収納部）
５１    吹抜収納部（収納部）
５３    開口部（開口）
５５    延出部材
７０    吹抜収納部（収納部）
７５    ワイヤ（支持部材）
【図１】
2010216136.tif 000003
【図２】
2010216136.tif 000004
【図３】
2010216136.tif 000005
【図４】
2010216136.tif 000006
【図５】
2010216136.tif 000007
【図６】
2010216136.tif 000008